(57)【要約】【課題】制御部の負荷が大きくなるのを抑制しながら、記憶部に記憶される情報量が多くなるのを抑制することが可能な表示制御装置を提供する。【解決手段】ＤＶＤレコーダ（表示制御装置）は、映像データとＯＳＤデータとを合成する合成部と、合成部に出力するＯＳＤデータＤ４の属性および位置を指定するＣＰＵと、合成部に出力されたＯＳＤデータＤ１〜Ｄ３の属性および位置を記憶するＲＡＭとを備えている。そして、ＤＶＤレコーダは、合成部にＯＳＤデータＤ４が出力された際に、ＣＰＵにより指定されたＯＳＤデータＤ４の属性および位置に基づいて、合成部により合成された映像の所定領域Ｒ１のみを書き換えるように構成されている。【選択図】図５
2009210857.tif 000002
【特許請求の範囲】
【請求項１】
映像データとＯＳＤデータとを合成する合成部を備え、前記合成部により合成された映像を表示部に表示させる表示制御装置において、
前記合成部に出力するＯＳＤデータの属性および位置を指定する制御部と、
前記合成部に出力されたＯＳＤデータの属性および位置を記憶する第１記憶部と、をさらに備え、
前記合成部にＯＳＤデータが出力された際に、前記制御部により指定されたＯＳＤデータの属性および位置に基づいて、前記合成部により合成された映像の所定領域のみを書き換えるように構成されていることを特徴とする表示制御装置。
【請求項２】
請求項１に記載の表示制御装置において、
前記制御部は、前記合成部にＯＳＤデータが出力された際に、ＯＳＤ表示が上書きされた場合に、上書きされたＯＳＤデータを前記第１記憶部から削除するように構成されていることを特徴とする表示制御装置。
【請求項３】
請求項２に記載の表示制御装置において、
前記制御部は、前記合成部にＯＳＤデータが出力された際に、指定されたＯＳＤデータの属性および位置と、前記第１記憶部に記憶されたＯＳＤデータの属性および位置とに基づいて、ＯＳＤ表示が上書きされたか否かを判断するように構成されていることを特徴とする表示制御装置。
【請求項４】
請求項１ないし請求項３のいずれかに記載の表示制御装置において、
ＯＳＤデータを構成する画像データを記憶する第２記憶部をさらに備え、
前記第２記憶部には、所定のＯＳＤ表示に対して複数の画像データが記憶されていることを特徴とする表示制御装置。
【発明の詳細な説明】
【技術分野】
【０００１】
本発明は、映像データとＯＳＤデータとを合成する合成部を備えた表示制御装置に関する。
【背景技術】
【０００２】
従来、映像データとＯＳＤ（On-Screen Display）データとを合成する合成部を備え、合成部により合成された映像を表示部に表示させる表示制御装置が知られている（たとえば、特許文献１〜４参照）。
【０００３】
上記特許文献１には、所定のピクセルマップ（ＯＳＤデータ）に対して複数のヘッダが関連付けられることにより、ピクセルマップの表示を効率的に行うことが可能なビデオ受信機システム（表示制御装置）が開示されている。
【０００４】
また、上記特許文献２には、各スクリーンの解像度を同じにすることにより、各スクリーン間のＯＳＤ表示の移動量にずれが発生するのを抑制することが可能なマルチスクリーン表示装置（表示制御装置）が開示されている。
【０００５】
また、上記特許文献３には、表示部の解像度が異なる場合にも、ＯＳＤ表示を同じ大きさで表示することが可能なオンスクリーン表示装置（表示制御装置）が開示されている。
【０００６】
また、上記特許文献４には、ＯＳＤ画像フォーマット変換回路を備え、異なる解像度の表示部に対して同じＯＳＤデータを用いてＯＳＤ表示を行うことが可能なビデオ復号装置（表示制御装置）が開示されている。
【０００７】
しかしながら、上記特許文献１〜４に開示された表示制御装置では、ＯＳＤ表示の一部が変更された場合に、全てのＯＳＤ表示が書き換えられると考えられるので、制御部の負荷が大きくなるという不都合があった。
【０００８】
そこで、従来では、上記のような不都合を解消するために、ＯＳＤ表示の一部が変更された場合に、そのＯＳＤ表示のみを書き換えることが可能な表示制御装置が提案されている（たとえば、特許文献５参照）。
【０００９】
上記特許文献５には、ＯＳＤ用パネル対応変換部を備え、異なる解像度の表示部に対して同じＯＳＤデータを用いてＯＳＤ表示を行うことが可能な液晶表示装置（表示制御装置）が開示されている。この液晶表示装置は、ＯＳＤデータを１画面分記憶することにより、ＯＳＤ表示の一部が変更された場合に、そのＯＳＤ表示のみを書き換えることが可能なように構成されている。したがって、液晶表示装置は、制御部の負荷が大きくなるのを抑制することが可能である。
【００１０】
【特許文献１】特開２００１−８３９５１号公報
【特許文献２】特許第３６８５６６８号公報
【特許文献３】特開２００２−３３０３６４号公報
【特許文献４】特開２０００−３４７６３８号公報
【特許文献５】特開２００６−１１９５０９号公報
【発明の開示】
【発明が解決しようとする課題】
【００１１】
しかしながら、上記特許文献５で提案された液晶表示装置（表示制御装置）では、制御部の負荷が大きくなるのを抑制することが可能であるが、一方、ＯＳＤデータを１画面分記憶する必要があるので、その分、記憶部に記憶される情報量が多くなるという問題点がある。
【００１２】
本発明は、上述した課題を解決するものであって、その目的とするところは、制御部の負荷が大きくなるのを抑制しながら、記憶部に記憶される情報量が多くなるのを抑制することが可能な表示制御装置を提供することである。
【課題を解決するための手段】
【００１３】
本発明の表示制御装置は、映像データとＯＳＤデータとを合成する合成部を備え、合成部により合成された映像を表示部に表示させる表示制御装置において、合成部に出力するＯＳＤデータの属性および位置を指定する制御部と、合成部に出力されたＯＳＤデータの属性および位置を記憶する第１記憶部とをさらに備え、合成部にＯＳＤデータが出力された際に、制御部により指定されたＯＳＤデータの属性および位置に基づいて、合成部により合成された映像の所定領域のみを書き換えるように構成されている。
【００１４】
このように構成することによって、合成部により合成された映像の所定領域のみを書き換えることにより、全てのＯＳＤ表示が書き換えられる場合に比べて、制御部の負荷が大きくなるのを抑制することができる。また、第１記憶部が合成部に出力されたＯＳＤデータの属性および位置を記憶することによって、ＯＳＤデータを１画面分記憶する必要がある上記特許文献５と異なり、第１記憶部に記憶される情報量が多くなるのを抑制することができる。
【００１５】
上記表示制御装置において、制御部は、合成部にＯＳＤデータが出力された際に、ＯＳＤ表示が上書きされた場合に、上書きされたＯＳＤデータを第１記憶部から削除するように構成されていてもよい。
【００１６】
このように構成することによって、ＯＳＤ表示に不要なデータが削除されることにより、第１記憶部に記憶される情報量が多くなるのをより抑制することができる。
【００１７】
この場合において、制御部は、合成部にＯＳＤデータが出力された際に、指定されたＯＳＤデータの属性および位置と、第１記憶部に記憶されたＯＳＤデータの属性および位置とに基づいて、ＯＳＤ表示が上書きされたか否かを判断するように構成されていてもよい。
【００１８】
このように構成することによって、容易に、ＯＳＤ表示が上書きされたか否かを判断することができる。
【００１９】
上記表示制御装置において、ＯＳＤデータを構成する画像データを記憶する第２記憶部をさらに備え、第２記憶部には、所定のＯＳＤ表示に対して複数の画像データが記憶されているような構成を採用してもよい。
【００２０】
このように構成することによって、映像データの解像度が切り替わる際に、ＯＳＤ表示される画像データを変更することにより、画像データを拡大または縮小してＯＳＤ表示する場合に比べて、ＯＳＤ表示が不鮮明になるのを抑制することができる。
【発明の効果】
【００２１】
本発明によれば、制御部の負荷が大きくなるのを抑制しながら、記憶部に記憶される情報量が多くなるのを抑制することが可能な表示制御装置を提供することができる。
【発明を実施するための最良の形態】
【００２２】
以下、本発明の実施形態について、図面を参照しながら説明する。なお、本実施形態では、表示制御装置の一例であるＤＶＤレコーダに本発明を適用した場合について説明する。
【００２３】
図１は、本発明の一実施形態によるＤＶＤレコーダの全体構成を示したブロック図である。図２は、ＯＳＤデータの属性および位置を示した図である。図３は、表示装置の液晶パネルを示した図である。まず、図１〜図３を参照して、本実施形態によるＤＶＤレコーダ１００の構成について説明する。
【００２４】
本発明の一実施形態によるＤＶＤレコーダ１００は、図１に示すように、表示装置１５０と接続されたＤＶＤレコーダ本体１と、ＤＶＤレコーダ本体１を遠隔操作するリモコン２とを備えている。
【００２５】
ＤＶＤレコーダ本体１は、表示装置１５０に複数の解像度の映像を出力可能なように構成されている。具体的には、ＤＶＤレコーダ本体１は、有効画素数が１９２０×１０８０であり、画角が１６：９である映像（以下、「フルＨＤ（High Definition）映像」という）と、有効画素数が１２８０×７２０であり、画角が１６：９である映像（以下、「ＨＤ映像」という）と、有効画素数が７２０×４８０であり、画角が４：３である映像（以下、「ＳＤ（Standard
Definition）映像」という）とを出力可能なように構成されている。
【００２６】
また、ＤＶＤレコーダ本体１に接続された表示装置１５０には、有効画素数が１９２０×１０８０である液晶パネル１５０ａ（図３参照）が設けられている。なお、液晶パネル１５０ａは、本発明の「表示部」の一例である。
【００２７】
ＤＶＤレコーダ本体１には、アンテナ１５１が接続されたチューナ１１と、ハードディスク１２と、ＤＶＤ１５２に対する読み込みおよび書き込みを行う光ピックアップ１３とが設けられている。チューナ１１は、アンテナ１５１が受信したテレビジョン放送のチャンネルを選択して、映像データを映像処理部１４に出力する機能を有する。ハードディスク１２は、映像データを記憶するとともに、記憶した映像データを映像処理部１４に出力する機能を有する。光ピックアップ１３は、ディスクトレイ（図示せず）に載置されたＤＶＤ１５２に記録された映像データを映像処理部１４に出力する機能を有する。
【００２８】
ＤＶＤレコーダ本体１は、デコーダなどを有する映像処理部１４と、ＯＳＤ処理部１５と、合成部１６と、変換部１７と、入出力部１８とを含んでいる。映像処理部１４は、チューナ１１、ハードディスク１２および光ピックアップ１３から入力された映像データに対してそれぞれ所定の処理を行うために設けられている。また、映像処理部１４は、所定の処理が行われた映像データを合成部１６に出力する機能を有する。
【００２９】
ＯＳＤ処理部１５は、出力用のＡＰＩ（Application Program Interface）などを含み、ＯＳＤデータを合成部１６に出力するために設けられている。このＡＰＩは、画像データを出力するための画像データ用ＡＰＩ、文字列データを出力するための文字列データ用ＡＰＩ、および、長方形を描画するための長方形描画用ＡＰＩなどを含んでいる。
【００３０】
合成部１６は、映像処理部１４から入力された映像データと、ＯＳＤ処理部１５から入力されたＯＳＤデータとを合成して、変換部１７に出力するために設けられている。
【００３１】
変換部１７は、合成部１６から入力された映像データを表示装置１５０の有効画素数に応じて変換し、入出力部１８に出力するために設けられている。たとえば、変換部１７は、合成部１６から入力された映像データがＨＤ映像またはＳＤ映像であれば、有効画素数が１９２０×１０８０の映像データに変換して入出力部１８に出力するとともに、合成部１６から入力された映像データがフルＨＤ映像であれば、有効画素数が１９２０×１０８０の映像データをそのまま入出力部１８に出力するように構成されている。
【００３２】
入出力部１８は、変換部１７から入力された映像データを表示装置１５０に出力するとともに、表示装置１５０から制御信号が入力されるように構成されている。この制御信号には、表示装置１５０の有効画素数の情報が含まれており、ＤＶＤレコーダ本体１は、表示装置１５０の有効画素数を判断することが可能である。
【００３３】
また、ＤＶＤレコーダ本体１は、ＤＶＤレコーダ本体１の動作をバス２３を介して制御するＣＰＵ１９と、プログラムなどを記憶するＲＯＭ２０と、データなどを一時的に記憶するＲＡＭ２１と、リモコン２から出力される信号（たとえば、赤外線信号）を受信する受信部２２とを含んでいる。なお、ＣＰＵ１９は、本発明の「制御部」の一例であり、ＲＯＭ２０およびＲＡＭ２１は、それぞれ、本発明の「第２記憶部」および「第１記憶部」の一例である。
【００３４】
ＲＯＭ２０には、ＯＳＤデータを構成する画像データおよび文字列データが記憶されている。画像データは、フルＨＤ映像用の画像データと、ＳＤ映像用の画像データとを含み、ＲＯＭ２０には、所定のＯＳＤ表示に対して２つの画像データが記憶されている。文字列データについても同様であり、ＲＯＭ２０には、所定のＯＳＤ表示に対して２つの文字列データが記憶されている。なお、フルＨＤ映像用の画像データ（文字列データ）は、変換（縮小）されることにより、ＨＤ映像用の画像データ（文字列データ）としても用いられる。
【００３５】
ここで、本実施形態では、ＲＡＭ２１は、ＯＳＤ処理部１５により合成部１６に出力されたＯＳＤデータを記憶している。具体的には、ＲＡＭ２１は、図２に示すように、ＯＳＤデータの属性として、ＡＰＩの種類、画像データ、文字列データ、色データ、幅および高さを記憶し、ＯＳＤデータの位置として座標を記憶している。
【００３６】
なお、色データのαは、透過度情報であり、２５６階調で表現される。したがって、α＝０の場合に透明になり、α＝２５５の場合に透過しなくなる。また、色データのＲ、ＧおよびＢは、色情報であり、赤色、緑色および青色がそれぞれ２５６階調で表現される。
【００３７】
たとえば、図２に示すようなＯＳＤデータＤ１〜Ｄ３が出力されている場合には、表示装置１５０には、図３に示すようなＯＳＤデータＤ１〜Ｄ３が表示されている。具体的には、表示装置１５０の液晶パネル１５０ａには、画像データであるＯＳＤデータＤ１が、座標（２００，２００）を基準にして、５００の幅と２００の高さとを有するように表示されている。また、表示装置１５０の液晶パネル１５０ａには、文字列データであるＯＳＤデータＤ２が、座標（９００，５５０）を基準にして、２００の幅と５０の高さとを有するように表示されている。また、表示装置１５０の液晶パネル１５０ａには、長方形の色データであるＯＳＤデータＤ３が、座標（１３００，８２０）を基準にして、４００の幅と１３０の高さとを有するように表示されている。
【００３８】
リモコン２には、解像度切替ボタン（図示せず）や設定ボタン（図示せず）などが設けられており、ＤＶＤレコーダ本体１は、リモコン２からの信号に応じて、解像度の切り替えや、ＯＳＤ表示などを行うことが可能なように構成されている。
【００３９】
図４は、本発明の一実施形態によるＤＶＤレコーダのＯＳＤ表示動作を説明するためのフローチャートである。図５〜図８は、本発明の一実施形態によるＤＶＤレコーダのＯＳＤ表示動作を説明するための図である。次に、図１〜図８を参照して、本実施形態によるＤＶＤレコーダ１００のＯＳＤ表示動作について説明する。なお、以下の動作説明では、チューナ１１またはハードディスク１２からフルＨＤ映像が映像処理部１４に出力されており、図２および図３の状態からＯＳＤ表示動作が行われた場合について説明する。
【００４０】
まず、ＤＶＤレコーダ１００（図１参照）では、図４のステップＳ１において、ＣＰＵ１９（図１参照）により、ＯＳＤ表示の内容に応じて、ＯＳＤデータの属性および位置を指定する。次に、ステップＳ２において、ＯＳＤ処理部１５（図１参照）により、指定されたＯＳＤデータが合成部１６（図１参照）に出力される。
【００４１】
すなわち、本実施形態のＤＶＤレコーダ１００では、ＣＰＵ１９により指定されたＯＳＤデータの属性および位置に基づいて、合成部１６により合成された映像の所定領域のみを書き換えるように構成されている。
【００４２】
次に、ステップＳ３において、ＣＰＵ１９により、ＲＡＭ２１（図１参照）に記憶されたＯＳＤデータ内に、指定されたＯＳＤデータの属性および位置と一致するＯＳＤデータがあるか否かが判断される。すなわち、同一のＯＳＤデータにより上書きされたか否かが判断される。そして、ＣＰＵ１９により、ＲＡＭ２１に記憶されたＯＳＤデータ内に、指定されたＯＳＤデータの属性および位置と一致するＯＳＤデータがないと判断された場合には、ステップＳ４に移る。その一方、ＣＰＵ１９により、ＲＡＭ２１に記憶されたＯＳＤデータ内に、指定されたＯＳＤデータの属性および位置と一致するＯＳＤデータがあると判断された場合には、ステップＳ５に移る。
【００４３】
具体的には、図５（ａ）に示すように、ＲＡＭ２１に記憶されたＯＳＤデータＤ１〜Ｄ３の属性および位置と、指定されたＯＳＤデータＤ４の属性および位置とが一致しない場合には、ステップＳ４に移る。その一方、たとえば、図６（ａ）に示すように、ＲＡＭ２１に記憶されたＯＳＤデータＤ２の属性および位置と、指定されたＯＳＤデータＤ４の属性および位置とが一致する場合には、ステップＳ５に移る。
【００４４】
次に、図４のステップＳ４において、ＣＰＵ１９により、ＲＡＭ２１に記憶されたＯＳＤデータ内に、指定されたＯＳＤデータにより上書きされるＯＳＤデータがあるか否かが判断される。なお、上書きされるか否かは、指定されたＯＳＤデータの属性および位置により判断される。そして、ＣＰＵ１９により、ＲＡＭ２１に記憶されたＯＳＤデータ内に、指定されたＯＳＤデータにより上書きされるＯＳＤデータがないと判断された場合には、ステップＳ６に移る。その一方、ＣＰＵ１９により、ＲＡＭ２１に記憶されたＯＳＤデータ内に、指定されたＯＳＤデータにより上書きされるＯＳＤデータがあると判断された場合には、ステップＳ５に移る。
【００４５】
具体的には、図５（ａ）に示すように、ＲＡＭ２１に記憶されたＯＳＤデータＤ１〜Ｄ３の属性および位置と、指定されたＯＳＤデータＤ４の属性および位置とにより、ＲＡＭ２１に記憶されたＯＳＤデータＤ１〜Ｄ３が指定されたＯＳＤデータＤ４により上書きされない場合には、ステップＳ６に移る。その一方、たとえば、図７（ａ）に示すように、ＲＡＭ２１に記憶されたＯＳＤデータＤ２が、画像データであるＯＳＤデータＤ４により上書きされる場合には、ステップＳ５に移る。また、図８（ａ）に示すように、ＲＡＭ２１に記憶されたＯＳＤデータＤ２が、透過しない色データ（α＝２５５）であるＯＳＤデータＤ４により上書きされる場合には、ステップＳ５に移る。
【００４６】
次に、図４のステップＳ５において、ＣＰＵ１９により、ステップＳ３またはＳ４において該当するＯＳＤデータがＲＡＭ２１から削除される。その後、ステップＳ６において、ＣＰＵ１９により、指定されたＯＳＤデータがＲＡＭ２１に追加される。その後、ＯＳＤ表示動作が終了する。
【００４７】
具体的には、図５（ａ）に示すように、ＲＡＭ２１に記憶されたＯＳＤデータＤ１〜Ｄ３がＯＳＤデータＤ４と一致せず（ステップＳ３でＮｏ）、かつ、ＲＡＭ２１に記憶されたＯＳＤデータＤ１〜Ｄ３がＯＳＤデータＤ４により上書きされない場合（ステップＳ４でＮｏ）には、図５（ｂ）に示すように、ＯＳＤデータＤ４がＲＡＭ２１に追加される（ステップＳ６）。このとき、表示装置１５０の液晶パネル１５０ａには、図５（ｃ）に示すように、ＯＳＤデータＤ４が所定領域Ｒ１に表示される。
【００４８】
また、図６（ａ）に示すように、ＲＡＭ２１に記憶されたＯＳＤデータＤ２の属性および位置と、指定されたＯＳＤデータＤ４の属性および位置とが一致する場合（ステップＳ３でＹｅｓ）には、図６（ｂ）に示すように、ＯＳＤデータＤ２が削除されるとともに（ステップＳ５）、ＯＳＤデータＤ４がＲＡＭ２１に追加される（ステップＳ６）。このとき、表示装置１５０の液晶パネル１５０ａには、図６（ｃ）に示すように、ＯＳＤデータＤ４が所定領域Ｒ２に表示される。
【００４９】
また、図７（ａ）に示すように、ＲＡＭ２１に記憶されたＯＳＤデータＤ２が、画像データであるＯＳＤデータＤ４により上書きされる場合（ステップＳ４でＹｅｓ）には、図７（ｂ）に示すように、ＯＳＤデータＤ２が削除されるとともに（ステップＳ５）、ＯＳＤデータＤ４がＲＡＭ２１に追加される（ステップＳ６）。このとき、表示装置１５０の液晶パネル１５０ａには、図７（ｃ）に示すように、ＯＳＤデータＤ４が所定領域Ｒ３に表示される。
【００５０】
また、図８（ａ）に示すように、ＲＡＭ２１に記憶されたＯＳＤデータＤ２が、透過しない色データ（α＝２５５）であるＯＳＤデータＤ４により上書きされる場合（ステップＳ４でＹｅｓ）には、図８（ｂ）に示すように、ＯＳＤデータＤ２が削除されるとともに（ステップＳ５）、ＯＳＤデータＤ４がＲＡＭ２１に追加される（ステップＳ６）。このとき、表示装置１５０の液晶パネル１５０ａには、図８（ｃ）に示すように、ＯＳＤデータＤ４が所定領域Ｒ４に表示される。なお、この場合において、ＯＳＤデータＤ４が透過する色データ（α≠２５５）であれば、ＲＡＭ２１に記憶されたＯＳＤデータＤ２がＯＳＤデータＤ４により上書きされることはなく（ステップＳ４でＮｏ）、ＯＳＤデータＤ４がＲＡＭ２１に追加される（ステップＳ６）。
【００５１】
図９は、本発明の一実施形態によるＤＶＤレコーダの解像度切替動作を説明するための図である。次に、図１、図２および図９を参照して、本実施形態によるＤＶＤレコーダ１００の解像度切替動作について説明する。なお、以下の動作説明では、チューナ１１またはハードディスク１２からフルＨＤ映像が映像処理部１４に出力されており、図２の状態から解像度切替動作が行われた場合について説明する。
【００５２】
まず、ＤＶＤレコーダ１００では、ＣＰＵ１９により、チューナ１１またはハードディスク１２からフルＨＤ映像が映像処理部１４に出力されるのを停止するとともに、光ピックアップ１３からＳＤ映像を映像処理部１４に出力する。これにより、映像処理部１４からＳＤ映像が合成部１６に出力される。すなわち、ＣＰＵ１９により、フルＨＤ映像からＳＤ映像に切り替えられる。
【００５３】
このとき、ＣＰＵ１９により、図２に示すようなＯＳＤデータＤ１〜Ｄ３が、図９に示すようなＯＳＤデータＤ１〜Ｄ３に変換される。具体的には、ＣＰＵ１９により、フルＨＤ映像用の画像データおよび文字列データが、それぞれ、対応するＳＤ映像用の画像データおよび文字列データに変更される。なお、ＳＤ映像用の画像データ（文字列データ）は、幅が対応するフルＨＤ映像用の画像データ（文字列データ）の幅の７２０／１９２０倍であり、高さが対応するフルＨＤ映像用の画像データ（文字列データ）の高さの４８０／１０８０倍である。また、長方形の色データであるＯＳＤデータＤ３は、幅が７２０／１９２０倍に縮小されるとともに、高さが４８０／１０８０倍に縮小される。
【００５４】
また、ＣＰＵ１９により、ＯＳＤデータＤ１〜Ｄ３の位置（座標）が変更される。具体的には、座標のＸの値が７２０／１９２０倍に変更されるとともに、座標のＹの値が４８０／１０８０倍に変更される。
【００５５】
そして、ＯＳＤ処理部１５により、変換後のＯＳＤデータＤ１〜Ｄ３が合成部１６に出力される。その後、合成部１６により、映像処理部１４から入力されたＳＤ映像の映像データと、ＯＳＤ処理部１５から入力された変換後のＯＳＤデータＤ１〜Ｄ３とが合成され、変換部１７に出力される。
【００５６】
次に、変換部１７により、合成後のＳＤ映像が表示装置１５０の有効画素数に応じて変換され、入出力部１８に出力される。そして、入出力部１８により、変換部１７から入力された映像データが表示装置１５０に出力される。
【００５７】
なお、フルＨＤ映像からＨＤ映像に切り替えられる場合には、フルＨＤ映像用の画像データおよび文字列データが縮小されるとともに、ＯＳＤデータの位置（座標）が変更される。具体的には、フルＨＤ映像用の画像データ（文字列データ）の幅が１２８０／１９２０倍に縮小されるとともに、高さが７２０／１０８０倍に縮小される。また、座標のＸの値が１２８０／１９２０倍に変更されるとともに、座標のＹの値が７２０／１０８０倍に変更される。
【００５８】
本実施形態では、上記のように、ＣＰＵ１９により指定されたＯＳＤデータの属性および位置に基づいて、合成部１６により合成された映像の所定領域のみを書き換えるように構成することによって、全てのＯＳＤ表示が書き換えられる場合に比べて、ＣＰＵ１９の負荷が大きくなるのを抑制することができる。
【００５９】
また、本実施形態では、ＲＡＭ２１が合成部１６に出力されたＯＳＤデータの属性および位置を記憶することによって、ＯＳＤデータを１画面分記憶する必要がある上記特許文献５と異なり、ＲＡＭ２１に記憶される情報量が多くなるのを抑制することができる。
【００６０】
また、本実施形態では、ＲＡＭ２１が合成部１６に出力されたＯＳＤデータの属性および位置を記憶することによって、解像度切替動作が行われた際に、ＲＡＭ２１に記憶されたＯＳＤデータが変換され、その変換後のＯＳＤデータが合成部１６に出力されるので、解像度切替動作の前後において、同じＯＳＤ表示を行うことができる。
【００６１】
また、本実施形態では、図４のステップＳ５において、該当するＯＳＤデータがＲＡＭ２１から削除されることによって、ＯＳＤ表示に不要なデータが削除されるので、ＲＡＭ２１に記憶される情報量が多くなるのをより抑制することができる。
【００６２】
また、本実施形態では、ＲＯＭ２０に、所定のＯＳＤ表示に対して２つの画像データ（文字列データ）が記憶されていることによって、フルＨＤ映像からＳＤ映像に切り替わる際に、ＯＳＤ表示される画像データ（文字列データ）を変更することにより、画像データを拡大または縮小してＯＳＤ表示する場合に比べて、ＯＳＤ表示が不鮮明になるのを抑制することができる。
【００６３】
また、本実施形態では、フルＨＤ映像用の画像データ（文字列データ）を、変換（縮小）することにより、ＨＤ映像用の画像データ（文字列データ）としても用いることによって、ＲＯＭ２０に記憶される情報量が多くなるのを抑制することができる。
【００６４】
本発明は、上述した以外にも種々の実施形態を採用することができる。たとえば、上記実施形態では、表示制御装置の一例としてＤＶＤレコーダ１００を示したが、これに限らず、液晶テレビジョン受像機などのその他の表示制御装置に本発明を適用してもよい。
【００６５】
また、上記実施形態では、ＤＶＤレコーダ１００がフルＨＤ映像、ＨＤ映像またはＳＤ映像を出力する例を示したが、これらは一例であり、ＤＶＤレコーダ１００がその他の解像度の映像を出力するようにしてもよい。
【００６６】
また、上記実施形態では、有効画素数が１９２０×１０８０である液晶パネル１５０ａを含む表示装置１５０がＤＶＤレコーダ１００に接続される例を示したが、これに限らず、有効画素数がその他の値である液晶パネル１５０ａを含む表示装置１５０がＤＶＤレコーダ１００に接続されていてもよい。
【００６７】
また、上記実施形態では、変換部１７を合成部１６と入出力部１８との間に設ける例を示したが、これに限らず、変換部１７を映像処理部１４と合成部１６との間に設けてもよい。
【００６８】
また、上記実施形態では、第２記憶部の一例としてＲＯＭ２０を示したが、これに限らず、第２記憶部としてハードディスク１２を用いてもよい。また、第１記憶部の一例としてＲＡＭ２１を示したが、これに限らず、第１記憶部としてハードディスク１２を用いてもよい。
【００６９】
また、上記実施形態では、ＲＯＭ２０に、所定のＯＳＤ表示に対して２つの画像データ（文字列データ）が記憶されている例を示したが、これに限らず、ＲＯＭ２０に、フルＨＤ映像用、ＨＤ映像用およびＳＤ映像用の３つの画像データ（文字列データ）が記憶されていてもよい。このように構成すれば、ＯＳＤ表示が不鮮明になるのをより抑制することができる。
【００７０】
また、上記実施形態では、図４のステップＳ６において、指定されたＯＳＤデータがＲＡＭ２１に追加される例を示したが、これに限らず、ステップＳ２において、指定されたＯＳＤデータがＲＡＭ２１に追加されるようにしてもよい。
【００７１】
また、上記実施形態では、解像度切替ボタンや設定ボタンなどがリモコン２に設けられている例を示したが、これに限らず、解像度切替ボタンや設定ボタンなどがＤＶＤレコーダ本体１に設けられていてもよい。
【図面の簡単な説明】
【００７２】
【図１】本発明の一実施形態によるＤＶＤレコーダの全体構成を示したブロック図である。
【図２】ＯＳＤデータの属性および位置を示した図である。
【図３】表示装置の液晶パネルを示した図である。
【図４】本発明の一実施形態によるＤＶＤレコーダのＯＳＤ表示動作を説明するためのフローチャートである。
【図５】本発明の一実施形態によるＤＶＤレコーダのＯＳＤ表示動作を説明するための図である。
【図６】本発明の一実施形態によるＤＶＤレコーダのＯＳＤ表示動作を説明するための図である。
【図７】本発明の一実施形態によるＤＶＤレコーダのＯＳＤ表示動作を説明するための図である。
【図８】本発明の一実施形態によるＤＶＤレコーダのＯＳＤ表示動作を説明するための図である。
【図９】本発明の一実施形態によるＤＶＤレコーダの解像度切替動作を説明するための図である。
【符号の説明】
【００７３】
１６      合成部
１９      ＣＰＵ（制御部）
２０      ＲＯＭ（第２記憶部）
２１      ＲＡＭ（第１記憶部）
１００    ＤＶＤレコーダ（表示制御装置）
１５０ａ  液晶パネル（表示部）
【図１】
2009210857.tif 000003
【図２】
2009210857.tif 000004
【図３】
2009210857.tif 000005
【図４】
2009210857.tif 000006
【図５】
2009210857.tif 000007
【図６】
2009210857.tif 000008
【図７】
2009210857.tif 000009
【図８】
2009210857.tif 000010
【図９】
2009210857.tif 000011